(57)【要約】【課題】簡易な構造を用いて運搬時における波や風等による吊り荷の揺れを低減し、洋上における運搬作業の稼働率が上昇する運搬方法および作業船を提供する。【解決手段】作業船１に設けられたクレーン１１の先端から、洋上風力発電設備９の上部に取り付けられた第１の吊り治具２０と、下部に取り付けられた第２の吊り治具２１とを吊る。さらに、作業船１に設けられた動揺防止枠桁２５で、第２の吊り治具２１を介して洋上風力発電設備９を水平方向に支持し、風等による洋上風力発電設備９の水平方向の揺れを低減する。加えて、動揺防止枠桁２５の船体３側の端部は船体３に設けられたブラケット２７に軸支されており、動揺防止枠桁２５は船体３の左右方向の軸２９を回転軸として一定範囲で回転可能である。これにより、波等による船体３の左右方向を軸とする回転に伴う洋上風力発電設備９の上下方向の揺れを低減させる。【選択図】図１
2010208723.tif 000002
【特許請求の範囲】
【請求項１】
クレーンと動揺防止枠桁とが設置された作業船による吊り荷の運搬方法であって、
前記吊り荷を、前記クレーンから吊るとともに前記動揺防止枠桁で水平方向に支持しながら運搬することを特徴とする運搬方法。
【請求項２】
前記吊り荷の上部に第１の吊り治具が取り付けられるとともに、前記吊り荷の下部に第２の吊り治具が取り付けられ、
前記第２の吊り治具は、前記動揺防止枠桁と取り外し可能に連結され、
前記第１の吊り治具および前記第２の吊り治具は、前記クレーンから吊るされることを特徴とする請求項１記載の運搬方法。
【請求項３】
前記動揺防止枠桁は、水平トラス構造により構成されることを特徴とする請求項１もしくは請求項２に記載の運搬方法。
【請求項４】
前記動揺防止枠桁の一端は、前記作業船に設置されたブラケットに、前記作業船の船体の左右方向を軸として回転可能に軸支されることを特徴とする請求項１から請求項３のいずれかに記載の運搬方法。
【請求項５】
吊り荷を吊るためのクレーンと、
前記吊り荷を水平方向に支持するための動揺防止枠桁と、
を備えることを特徴とする作業船。
【請求項６】
前記動揺防止枠桁は、水平トラス構造により構成されることを特徴とする請求項５に記載の作業船。
【請求項７】
前記動揺防止枠桁の一端は、前記作業船に設けられたブラケットに、前記作業船の船体の左右方向を軸として回転可能に軸支されることを特徴とする請求項５または請求項６に記載の作業船。
【発明の詳細な説明】
【技術分野】
【０００１】
本発明は運搬方法および作業船に関する。より詳しくは、洋上において風や波による吊り荷の揺れを低減する運搬方法および作業船に関する。
【背景技術】
【０００２】
洋上風力発電施設など、洋上構築物の構築作業は、波浪や風等の影響を大きくうけるため、困難を極める。
このため、洋上における構築作業の際に、波浪や風の影響を低減するさまざまな制御方法が考案されている。例えば特許文献１には、吊りフックに水平方向の揺れが生じた場合、揺れの程度に応じて揺れ止めアームを水平方向に揺動、伸縮させることにより揺れ止めアームの先端の吊りフックの揺れを抑制する、作業船における吊りフックの揺れ止め制御方法が示されている。
【先行技術文献】
【特許文献】
【０００３】
【特許文献１】特開２００２−２００８０号公報
【発明の概要】
【発明が解決しようとする課題】
【０００４】
波浪や風の影響は、洋上構築物を構築するため、吊り荷の運搬を行う時にもうける。これにより、洋上における運搬設置作業の稼働率が低下する場合があった。また、特許文献１の揺れ止めアームのような動揺制御機構は、複雑な構造をとることが多く、費用がかかるという問題もあった。
【０００５】
本発明は、前述した問題点に鑑みてなされたもので、簡易な構造を用いて洋上での吊り荷の運搬時における波や風等による吊り荷の揺れを低減し、吊り荷の運搬作業の稼働率が上昇する吊り荷の運搬方法等を提供することを目的とする。
【課題を解決するための手段】
【０００６】
前述した目的を達するために第１の発明は、クレーンと動揺防止枠桁とが設置された作業船による吊り荷の運搬方法であって、前記吊り荷を、前記クレーンから吊るとともに前記動揺防止枠桁で水平方向に支持しながら運搬することを特徴とする運搬方法である。
【０００７】
上記構成により、吊り荷を水平支持し、運搬時に風等による吊り荷の水平方向の揺れを低減する運搬方法を提供することができる。
【０００８】
前記吊り荷の上部に第１の吊り治具が取り付けられるとともに、前記吊り荷の下部に第２の吊り治具が取り付けられ、前記第２の吊り治具は、前記動揺防止枠桁と取り外し可能に連結され、前記第１の吊り治具および前記第２の吊り治具は、前記クレーンから吊るされる。
【０００９】
上記構成により、洋上風力発電設備のような鉛直方向に長い吊り荷について、鉛直状態を保ったまま運搬することができる。また、吊り荷の設置時等には、第２の吊り治具を動揺防止枠桁から取り外すことができる。
【００１０】
また、前記動揺防止枠桁は、水平トラス構造により構成される。
【００１１】
上記構成により、簡易かつ軽量な構造で座屈しにくい動揺防止枠桁が得られる。
【００１２】
加えて、前記動揺防止枠桁の一端は、前記作業船に設置されたブラケットに、前記作業船の船体の左右方向を軸として回転可能に軸支される。
【００１３】
船体の左右方向は、船体の船首と船尾を結ぶ軸に対して直交する方向である。
上記構成により、波等による船体の回転に伴う吊り荷の上下方向の揺れを、動揺防止枠桁の回転により吸収することができる。
【００１４】
前述した目的を達するために第２の発明は、吊り荷を吊るためのクレーンと、前記吊り荷を水平方向に支持するための動揺防止枠桁と、を備えることを特徴とする作業船である。
【００１５】
また、前記動揺防止枠桁は、水平トラス構造により構成される。
また、前記動揺防止枠桁の一端は、前記作業船に設けられたブラケットに、前記作業船の船体の左右方向を軸として回転可能に軸支される。
【発明の効果】
【００１６】
本発明により、簡易な構造を用いて運搬時における波や風等による吊り荷の揺れを低減し、洋上における吊り荷の運搬作業の稼働率が上昇する運搬方法等を提供することができる。
【図面の簡単な説明】
【００１７】
【図１】洋上風力発電設備９の運搬状態の一例を示す側面図
【図２】洋上風力発電設備９の運搬状態の一例を示す斜視図
【図３】動揺防止枠桁２５を上部からみた平面図
【発明を実施するための形態】
【００１８】
以下、図１、図２、図３を参照しながら、本発明の運搬方法および作業船の実施形態について説明する。
なお、本説明では、運搬を行う吊り荷の例として、洋上風力発電設備を用いて説明する。洋上風力発電設備については後述する。
図１は洋上風力発電設備９の運搬状態の一例を示す側面図である。
図２は洋上風力発電設備９の運搬状態の一例を示す斜視図である。
図３は動揺防止枠桁２５を上部からみた平面図である。
【００１９】
作業船１の船体３の上には、クレーン１１、クレーン支持部１３、動揺防止枠桁２５、ブラケット２７のほか、操作室等が設置される。なお、図１における船体３では、右側を船首側、左側を船尾側とする。
【００２０】
クレーン１１はジブ１４、ワイヤ１７、吊り部１９等からなり、船体３から船首前方上方向に延びるようにして船体３に設けられる。ワイヤ１７は、吊り部１９とジブ１４の先端とを連結し、クレーン１１の先端から吊り部１９を上下させることが可能である。吊り部１９は後述するワイヤ１８、第１の吊り治具２０、第２の吊り治具２１等を介して船体３の船首前方で洋上風力発電設備９を吊るためのものである。
クレーン支持部１３は、船体３の船尾に設けられ、上部から延びるワイヤ１５でクレーン１１のジブ１４の先端を船体３の船尾より支える。
【００２１】
洋上風力発電設備９は、洋上風力発電施設の上部設備であり、洋上に設けられた基礎に洋上風力発電設備９を据付することにより、洋上風力発電施設が構築される。
洋上風力発電設備９は、羽根３１、回転部３３、風車タワー３５等により構成される。風車タワー３５は筒状であり、その下部に風車タワー３５の径方向に突出するフランジ２４を有する。
【００２２】
図２に示すように、第１の吊り治具２０が洋上風力発電設備９の上部の重心位置から水平方向に左右に伸びるように取り付けられる。その端部には吊り部１９から吊るされるワイヤ１８が取り付けられる。
また、第２の吊り治具２１が、洋上風力発電設備９の下部に取り付けられる。第２の吊り治具２１は、中央に孔部を有する略円形の基部２２と、底辺が基部２２の径方向と接するよう基部２２に取り付けた略三角形状のフランジ受け２３を有する。基部２２の孔部に洋上風力発電設備９の風車タワー３５を挿通し、洋上風力発電設備９の風車タワー３５の下部に取り付けられたフランジ２４をフランジ受け２３で下から支持することによって、第２の吊り治具２１により洋上発電設備９の下部を支える。
【００２３】
吊り部１９から吊るされるワイヤ１８は、第１の吊り治具２０の位置からさらに下方へ伸び、第２の吊り治具２１にも取り付けられる。すなわち、第１の吊り治具２０および第２の吊り治具２１を介して、洋上風力発電設備９が、クレーン１１の先端から吊り部１９やワイヤ１７、１８等により吊るされる。
また、第２の吊り治具２１は、動揺防止枠桁２５の一端と取り外し可能に連結される。洋上風力発電設備９を基礎に据付する際には、動揺防止枠桁２５から第２の吊り治具２１が取り外される。
【００２４】
動揺防止枠桁２５は、図３に示すように、左右に配置される一対の梁材３９と、梁材３９同士を斜めに連結する斜材４１とにより構成される水平トラス構造を有する。
動揺防止枠桁２５は、船体３の船首から船首前方に水平方向に伸び、その端部で洋上風力発電設備９の下部に取り付けた第２の吊り治具２１と取り外し可能に連結することにより、洋上風力発電設備９を水平方向に支持する。
動揺防止枠桁２５の船体３側の端部は船体３の船首の取付台３７の上に設けられたブラケット２７に軸支されており、船体３の左右方向の軸２９を中心に回転可能である。
【００２５】
波等による船体３の左右方向を軸とする回転時には、動揺防止枠桁２５はこれと逆方向に船体３に対して回転し、船体３の回転に伴う洋上風力発電設備９の上下方向の揺れを低減することができる。
ただし、通常運搬時に洋上風力発電設備９の喫水を防ぐ等の理由により、動揺防止枠桁２５の回転は一定範囲に収めるようにすることが望ましく、軸２９を中心とした動揺防止枠桁２５の回転には摩擦力等所定の回転抵抗が導入される。
【００２６】
以上の状態を保ちながら、吊り荷である洋上風力発電設備９の運搬がなされる。
作業船１に設けられた動揺防止枠桁２５が吊り荷である洋上風力発電設備９の下部に取り付けた第２の吊り治具２１と連結し、洋上風力発電設備９を水平方向に支持するように構成されているので、風等による洋上風力発電設備９の水平方向の揺れを低減させることができる。
さらに、作業船１に設けられたクレーン１１から洋上風力発電設備９の上部と下部に取り付けた第１の吊り治具２０と第２の吊り治具２１を吊るような構成となっているので、運搬時、縦長の吊り荷である洋上風力発電設備９を鉛直状態に保つことができる。
加えて、動揺防止枠桁２５は船体３の船首に設けられたブラケット２７に船体３側の一端を軸支され、船体３の左右方向の軸２９を中心として一定範囲で回転可能であることにより、波等による船体３の左右方向を軸とする回転に伴う洋上風力発電設備９の上下方向の揺れを低減することができる。
また、動揺防止枠桁２５は水平トラス構造により構成され、簡易で軽量な、座屈しにくい構造となっている。
【００２７】
以上説明したように、本実施形態によれば、簡易な構造を用いて運搬時における風や波等による吊り荷の揺れを低減し、洋上における運搬作業の稼働率が向上する運搬方法等を提供することができる。
【００２８】
以上、添付図面を参照しながら、本発明に係る運搬方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、本実施形態では、吊り荷として洋上風力発電設備を運搬する例を用いて説明したが、他にも、鋼管などの縦長の吊り荷を運搬する際にも、上記示した運搬方法を適用可能である。
また、縦長の形状でない等、吊り荷の形状等によっては運搬時に特に鉛直状態を保つ必要がない場合も存在する。この場合吊り荷の運搬時に上述の第１の吊り治具を用いる必要はなく、吊り荷を上部から直接吊り、動揺防止枠桁によって水平方向の支持を行うようにすれば、本発明の目的は達せられる。また、吊り荷と動揺防止枠桁を直接連結するようにすることもでき、この場合第２の吊り治具は不要となる。
【符号の説明】
【００２９】
１………作業船
３………船体
５………水面
７………水底
９………洋上風力発電設備（吊り荷）
１１………クレーン
１３………クレーン支持部
１４………ジブ
１５、１７、１８………ワイヤ
１９………吊り部
２０………第１の吊り治具
２１………第２の吊り治具
２５………動揺防止枠桁
２７………ブラケット
２９………軸
【図１】
2010208723.tif 000003
【図２】
2010208723.tif 000004
【図３】
2010208723.tif 000005